(57)【特許請求の範囲】
【請求項１】
パッシブ光ネットワークのＯＬＴにおいて不正なＯＮＵを決定するための方法であって、ＯＬＴが複数のＯＮＵのアップリンク信号を受信し、方法が、
各タイムスロットが１つのＯＮＵのアップリンク信号に対応する第１のタイムスロット割り当てに基づいて元の影響領域を決定するステップ（Ｄ）であって、影響領域が、不正なＯＮＵと、不正の可能性があるＯＮＵとによって妨害される可能性があるＯＮＵで構成される、決定するステップ（Ｄ）と、
各タイムスロットが１つのＯＮＵのアップリンク信号に対応する第２のタイムスロット割り当てに基づいて新たな影響領域を決定するステップ（Ｅ）と、
元の影響領域および新たな影響領域に同一のＯＮＵが存在するか否かを決定して不正なＯＮＵ候補を決定するステップ（Ｆ）と、
不正なＯＮＵ候補に基づいて不正なＯＮＵを決定するステップ（Ｇ）と
を備える、方法。
【請求項２】
ステップ（Ｄ）の前にステップ（Ａ）をさらに備え、ステップ（Ａ）が、
現在のタイムスロット割り当てに基づいて第１の条件が満たされているか否かを判定することであって、第１の条件が、ＯＬＴにより制御される任意のＯＮＵのアップリンク誤り率が誤り率閾値より大きいか否かである、判定することと、
第１の条件が満たされている場合に、第２の条件が満たされているか否かを判定することであって、第２の条件が、各ＯＮＵのアップリンク信号の光パワー値とそれぞれの過去の光パワー値との差分値が事前定義された光パワー閾値より大きいか否かである、判定することと
を備える、請求項１に記載の方法。
【請求項３】
ステップ（Ａ）の後にステップ（Ｂ）をさらに備え、ステップ（Ｂ）が、
第２の条件が満たされている場合に、事前定義された光パワー閾値より大きい差分値に対応するＯＮＵを第１のソースＯＮＵとして決定することと、
第２の条件が満たされていない場合に、差分値に対応するＯＮＵを第１のソースＯＮＵとして決定しないことと
を備える、請求項２に記載の方法。
【請求項４】
ステップ（Ｂ）の後に、第１のソースＯＮＵと、第１のタイムスロット割り当てにおいて第１のソースＯＮＵのタイムスロットに隣接するタイムスロットに対応するＯＮＵとを元の影響領域として決定することをさらに備える、請求項３に記載の方法。
【請求項５】
ステップ（Ｅ）が、
第１のタイムスロット割り当てを変更して第２のタイムスロット割り当てを生成し、あらゆるＯＮＵに第２のタイムスロット割り当てを通知すること（Ｅ１）
を備える、請求項１に記載の方法。
【請求項６】
ステップ（Ｅ１）の後にステップ（Ａ）およびステップ（Ｂ）を実施することをさらに備え、
ステップ（Ａ）が、
現在のタイムスロット割り当てに基づいて第１の条件が満たされているか否かを判定することであって、第１の条件が、ＯＬＴにより制御される任意のＯＮＵのアップリンク誤り率が誤り率閾値より大きいか否かである、判定することと、
第１の条件が満たされている場合に、第２の条件が満たされているか否かを判定することであって、第２の条件が、各ＯＮＵのアップリンク信号の光パワー値とそれぞれの過去の光パワー値との差分値が事前定義された光パワー閾値より大きいか否かである、判定することと
を備え、
ステップ（Ｂ）が、ステップ（Ａ）の後に、
第２の条件が満たされている場合に、事前定義された光パワー閾値より大きい差分値に対応するＯＮＵを第１のソースＯＮＵとして決定することと、
第２の条件が満たされていない場合に、差分値に対応するＯＮＵを第１のソースＯＮＵとして決定しないことと
を備える、請求項５に記載の方法。
【請求項７】
ステップ（Ｅ）が、
第２の条件が満たされている場合に、事前定義された光パワー閾値より大きい差分値に対応するＯＮＵを第２のソースＯＮＵとして決定することと、
第２の条件が満たされていない場合に、差分値に対応するＯＮＵを第２のソースＯＮＵとして決定しないことと
をさらに備える、請求項６に記載の方法。
【請求項８】
ステップ（Ｅ）が、
第２のソースＯＮＵと、第２のタイムスロット割り当てにおいて第２のソースＯＮＵのタイムスロットに隣接するタイムスロットに対応するＯＮＵとを新たな影響領域として決定すること
をさらに備える、請求項７に記載の方法。
【請求項９】
ステップ（Ｆ）が、元の影響領域および新たな影響領域に同一のＯＮＵが存在するか否かを決定することであって、
存在する場合、元の影響領域および新たな影響領域内の同一のＯＮＵを不正なＯＮＵ候補として決定し、
存在しない場合、ステップ（Ｅ）を再度実施する、決定すること
をさらに備える、請求項１に記載の方法。
【請求項１０】
ステップ（Ｇ）が、
不正なＯＮＵ候補を順に閉鎖し、閉鎖されたＯＮＵを除く他のＯＮＵの誤り率を検査することと、他のＯＮＵの全ての誤り率が誤り率閾値より大きくない場合、閉鎖された不正なＯＮＵ候補を不正なＯＮＵとして決定することと
を備える、請求項１に記載の方法。
【請求項１１】
ＰＯＮのＯＬＴにおいて不正なＯＮＵを決定するための装置であって、ＯＬＴが複数のＯＮＵのアップリンク信号を受信し、装置が、
各タイムスロットが１つのＯＮＵのアップリンク信号に対応する第１のタイムスロット割り当てに基づいて元の影響領域を決定するための元の影響領域決定ユニットであって、影響領域が、不正なＯＮＵと、不正の可能性があるＯＮＵとによって妨害される可能性があるＯＮＵで構成される、元の影響領域決定ユニットと、
第１のタイムスロット割り当てを変更して第２のタイムスロット割り当てを生成し、各ＯＮＵに第２のタイムスロット割り当てを通知するための第２のタイムスロット決定ユニットと、
各タイムスロットが１つのＯＮＵのアップリンク信号に対応する第２のタイムスロット割り当てに基づいて新たな影響領域を決定するための新たな影響領域決定ユニットと、
元の影響領域および新たな影響領域に同一のＯＮＵが存在するか否かを決定して不正なＯＮＵ候補を決定するための決定ユニットと、
不正なＯＮＵ候補に基づいて不正なＯＮＵを決定するためのＯＮＵ決定ユニットと
を備える、装置。
【請求項１２】
現在のタイムスロット割り当てに基づいて第１の条件が満たされているか否かを判定するための第１の条件判定ユニットであって、第１の条件が、ＯＬＴにより制御される任意のＯＮＵのアップリンク誤り率が誤り率閾値より大きいか否かである、第１の条件判定ユニットと、
第１の条件が満たされている場合に、第２の条件が満たされているか否かを判定するための第２の条件判定ユニットであって、第２の条件が、あらゆるＯＮＵのアップリンク信号の光パワー値とそれぞれの過去の光パワー値との差分値が事前定義された光パワー閾値より大きいか否かである、第２の条件判定ユニットと
をさらに備える、請求項１１に記載の装置。
【請求項１３】
元の影響領域決定ユニットが、
第２の条件が満たされている場合に、事前定義された光パワー閾値より大きい差分値に対応するＯＮＵを第１のソースＯＮＵとして決定することと、
第２の条件が満たされていない場合に、差分値に対応するＯＮＵを第１のソースＯＮＵとして決定しないことと
をさらに備える、請求項１２に記載の装置。
【請求項１４】
元の影響領域決定ユニットが、第１のソースＯＮＵと、第１のタイムスロット割り当てにおいて第１のソースＯＮＵのタイムスロットに隣接するタイムスロットに対応するＯＮＵとを元の影響領域として決定することをさらに備える、請求項１３に記載の装置。
【請求項１５】
新たな影響領域決定ユニットが、
第２の条件が満たされている場合に、事前定義された光パワー閾値より大きい差分値に対応するＯＮＵを第２のソースＯＮＵとして決定することと、
第２の条件が満たされていない場合に、差分値に対応するＯＮＵを第２のソースＯＮＵとして決定しないことと、
第２のソースＯＮＵと、第２のタイムスロット割り当てにおいて第２のソースＯＮＵのタイムスロットに隣接するタイムスロットに対応するＯＮＵとを新たな影響領域として決定することと、
をさらに備える、請求項１２に記載の装置。
【発明の詳細な説明】
【技術分野】
【０００１】
本発明は、パッシブ光ネットワークに関し、より詳細には、ＰＯＮにおける不正な（ｒｏｇｕｅ）ＯＮＵを決定するための方法および装置に関する。
【背景技術】
【０００２】
時分割多重（ＴＤＭ：Ｔｉｍｅ  Ｄｉｖｉｓｉｏｎ  Ｍｕｌｔｉｐｌｅｘｉｎｇ）ベースのパッシブ光ネットワーク（ＰＯＮ：Ｐａｓｓｉｖｅ  Ｏｐｔｉｃａｌ  Ｎｅｔｗｏｒｋ）システムは、ファイバーツーホームサービスを実装するための最も費用効果の高い方法であるので、世界的に広く配備されてきた。しかし、不正な光ネットワークユニット（ＯＮＵ）によって、ＰＯＮネットワークサービスの一部（または全体）が壊れる場合がある。
【０００３】
ＴＤＭ  ＰＯＮの設計に関して、光回線終端装置（ＯＬＴ：Ｏｐｔｉｃａｌ  Ｌｉｎｅ  Ｔｅｒｍｉｎａｌ）は、光ファイバ上の下り波長においてブロードキャスト方式でＯＵＮと通信する。そして、各ＯＮＵは、上り波長（通常、上りおよび下りの波長は同じ幹線（ｔｒｕｎｋ）ファイバ上で異なる）においてＯＬＴにより割り当てられた所与のタイムスロット内でＯＬＴと通信する。不正なＯＮＵが光信号をＯＬＴへ、他のＯＮＵに割り当てられたタイムスロットで意図的にまたは意図せずに送信した場合、この幹線ファイバ上で他のＯＮＵにより送信される上りサービスは深刻に妨害されることになる。
【０００４】
「不正なＯＮＵ」とは、典型的には、規格で指定されたパラメータと一致しない方法で送信するＯＮＵを指す。実際のＰＯＮでは、不正なＯＮＵがＯＮＵおよびＯＬＴの間の通常の通信を妨げるので、解決すべき重要な問題である。不正なＯＮＵの不正な行動は、多くの理由によって、たとえばＭＡＣエラー、ソフトウェアエラー、送信機エラーなどによって引き起こされる場合がある。ＴＤＭ−ＰＯＮおよびＴＷＤＭ−ＰＯＮの両方で発生する最も一般的なケースは、図１に示されるように、不正なＯＮＵがその上り信号を誤ったタイムスロットで送信するものである。通常、障害の発生した送信機は、ソフトウェアまたはハードウェアのエラーによって予定より早くオンになるか、または、部品の経年変化もしくはその他の理由によって予定より遅くオフになる。したがって、不正なＯＮＵに隣接する他のＯＮＵからの上りバーストは妨害されることになり、ＯＬＴにより正しく受信することができない。しかしながら、影響を受けるＯＮＵが必ずしも妨害を引き起こすＯＮＵではないので、不正なＯＮＵを決定することは困難であり得る。
【０００５】
ＩＴＵおよびＣＣＳＡでは、典型的には、不正なＯＮＵを決定するためのいくつかの解決策がある。
【０００６】
解決策１：不正なＯＮＵが決定されるまで、各ＯＮＵを１つずつの電源オフ／オンする。しかしながら、この解決策には以下の欠点がある：１）ＯＬＴが各ＯＮＵのステータスを１つずつ検査する必要があるので、時間がかかる処理であること、２）不正なＯＮＵ決定の処理中に、ＯＮＵとＯＬＴとの間の通常の通信が中断される場合があり、長時間のサービスの中断がユーザに受け入れられないこと、３）ほとんどの不正なＯＮＵは常に不正なステータスにあるとは限らず、電源／レーザーのリセットまたはファイバの抜き／差しの後に正常なステータスに戻り得ること、４）この解決策は、ＰＯＮシステムの高い信頼性を保証できないこと。
【０００７】
解決策２：ＯＮＵごとに誤り率およびリンク破損時間を計算し、ＯＬＴでの動的帯域割り当て（ＤＢＡ：Ｄｙｎａｍｉｃ  Ｂａｎｄｗｉｄｔｈ  Ａｌｌｏｃａｔｉｏｎ）履歴を記録する。ＤＢＡ履歴に基づいて、隣接する不正なＯＮＵの影響を受ける（誤り率が高い）ＯＮＵを発見することができる。理論的には、影響を受ける正常なＯＮＵは全て、同一の不正なＯＮＵ（誤り率が低い）により妨害されるはずである。このようにして、通常の（誤り率が高い）ＯＮＵに隣接し影響を与える不正なＯＮＵを位置特定することができる。しかしながら、ＰＯＮのほとんどのＯＬＴはそのＤＢＡ履歴を記録しておらず、タイムスロットの隣接情報が利用できないので、この解決策はあまり実用的ではない。
【０００８】
したがって、サービスを中断せずに不正なＯＮＵを迅速かつ遠隔的に識別するための実際のシステムにおける解決策を設計することは、非常に有益である。
【発明の概要】
【発明が解決しようとする課題】
【０００９】
上記の考察に基づいて、本出願は、ＰＯＮにおける不正なＯＮＵを決定するための方法および装置を提供する。
【課題を解決するための手段】
【００１０】
本出願の第１の態様によれば、ＰＯＮのＯＬＴにおいて不正なＯＮＵを決定するための方法であって、ＯＬＴが複数のＯＮＵのアップリンク信号を受信し、方法が、各タイムスロットが１つのＯＮＵのアップリンク信号に対応する第１のタイムスロット割り当てに基づいて元の影響領域（ｏｒｉｇｉｎａｌ  ｉｎｆｅｃｔｅｄ  ｚｏｎｅ）を決定するステップＤと、各タイムスロットが１つのＯＮＵのアップリンク信号に対応する第２のタイムスロット割り当てに基づいて新たな影響領域を決定するステップＢと、元の影響領域および新たな影響領域に同一のＯＮＵが存在するか否かを決定して不正なＯＮＵ候補を決定するステップＦと、不正なＯＮＵ候補に基づいて不正なＯＮＵを決定するステップＧとを備える、方法が提供される。
【００１１】
有利には、方法がステップＤの前にステップＡをさらに備え、ステップＡが、現在のタイムスロット割り当てに基づいて第１の条件が満たされていることを判定することであって、第１の条件が、ＯＬＴにより制御される任意のＯＮＵのアップリンク誤り率が誤り率閾値より大きいか否かである、判定することと、第１の条件が満たされている場合に、第２の条件が満たされているか否かを判定することであって、第２の条件が、あらゆるＯＮＵのアップリンク信号の光パワー値とそれぞれの過去の光パワー値との差分値が事前定義された光パワー閾値より大きいか否かである、判定することとを備える。
【００１２】
有利には、ステップＡの後に、方法がステップＢをさらに備え、ステップＢが、第２の条件が満たされている場合に、事前定義された光パワー閾値より大きい差分値に対応するＯＮＵを第１のソースＯＮＵとして決定することと、第２の条件が満たされていない場合に、差分値に対応するＯＮＵを第１のソースＯＮＵとして決定しないこととを備える。
【００１３】
有利には、ステップＢの後に、方法が、第１のソースＯＮＵと、第１のタイムスロット割り当てにおいて第１のソースＯＮＵのタイムスロットに隣接するタイムスロットに対応するＯＮＵとを元の影響領域として決定することをさらに備える。
【００１４】
有利には、ステップＥが、第１のタイムスロット割り当てを変更して第２のタイムスロット割り当てを生成し、あらゆるＯＮＵに第２のタイムスロット割り当てを通知することＥ１を備える。
【００１５】
有利には、方法は、ステップＥ１の後にステップＡおよびステップＢを実施することをさらに備える。
【００１６】
有利には、ステップＥが、第２の条件が満たされている場合に、事前定義された光パワー閾値より大きい差分値に対応するＯＮＵを第２のソースＯＮＵとして決定することと、第２の条件が満たされていない場合に、差分値に対応するＯＮＵを第２のソースＯＮＵとして決定しないこととをさらに備える。
【００１７】
有利には、ステップＥが、第２のソースＯＮＵと、第２のタイムスロット割り当てにおいて第２のソースＯＮＵのタイムスロットに隣接するタイムスロットに対応するＯＮＵとを新たな影響領域として決定することをさらに備える。
【００１８】
有利には、ステップＦが、元の影響領域および新たな影響領域に同一のＯＮＵが存在するか否かを決定することであって、存在する場合、元の影響領域および新たな影響領域内の同一のＯＮＵを不正なＯＮＵ候補として決定し、存在しない場合、ステップＥを再度実施する、決定することをさらに備える。
【００１９】
有利には、ステップＧが、不正なＯＮＵ候補を順に閉鎖（ｃｌｏｓｅ）し、閉鎖されたＯＮＵを除く他のＯＮＵの誤り率を検査することと、他のＯＮＵの全ての誤り率が誤り率閾値より大きくない場合、閉鎖された不正なＯＮＵ候補を不正なＯＮＵとして決定することとを備える。
【００２０】
本出願の第２の態様によれば、ＰＯＮのＯＬＴにおいて不正なＯＮＵを決定するための装置であって、ＯＬＴが複数のＯＮＵのアップリンク信号を受信し、装置が、各タイムスロットが１つのＯＮＵのアップリンク信号に対応する第１のタイムスロット割り当てに基づいて元の影響領域を決定するための元の影響領域決定ユニットと、第１のタイムスロット割り当てを変更して第２のタイムスロット割り当てを生成し、各ＯＮＵに第２のタイムスロット割り当てを通知するための第２のタイムスロット決定ユニットと、あらゆるタイムスロットが１つのＯＮＵのアップリンク信号に対応する第２のタイムスロット割り当てに基づいて新たな影響領域を決定するための新たな影響領域決定ユニットと、元の影響領域および新たな影響領域に同一のＯＮＵが存在するか否かを決定して不正なＯＮＵ候補を決定するための決定ユニットと、不正なＯＮＵ候補に基づいて不正なＯＮＵを決定するためのＯＮＵ決定ユニットとを備える、装置が提供される。
【００２１】
有利には、装置は、現在のタイムスロット割り当てに基づいて第１の条件が満たされているか否かを判定するための第１の条件判定ユニットであって、第１の条件が、ＯＬＴにより制御される任意のＯＮＵのアップリンク誤り率が誤り率閾値より大きいか否かである、第１の条件判定ユニットと、第１の条件が満たされている場合に、第２の条件が満たされているか否かを判定するための第２の条件判定ユニットであって、第２の条件が、あらゆるＯＮＵのアップリンク信号の光パワー値とそれぞれの過去の光パワー値との差分値が事前定義された光パワー閾値より大きいか否かである、第２の条件判定ユニットとをさらに備える。
【００２２】
有利には、元の影響領域決定ユニットが、第２の条件が満たされている場合に、事前定義された光パワー閾値より大きい差分値に対応するＯＮＵを第１のソースＯＮＵとして決定することと、第２の条件が満たされていない場合に、差分値に対応するＯＮＵを第１のソースＯＮＵとして決定しないこととをさらに備える。
【００２３】
有利には、元の影響領域決定ユニットが、第１のソースＯＮＵと、第１のタイムスロット割り当てにおいて第１のソースＯＮＵのタイムスロットに隣接するタイムスロットに対応するＯＮＵとを元の影響領域として決定することをさらに備える。
【００２４】
有利には、新たな影響領域決定ユニットが、第２の条件が満たされている場合に、事前定義された光パワー閾値より大きい差分値に対応するＯＮＵを第２のソースＯＮＵとして決定することと、第２の条件が満たされていない場合に、差分値に対応するＯＮＵを第２のソースＯＮＵとして決定しないこととをさらに備える。
【００２５】
有利には、新たな影響領域決定ユニットが、第２のソースＯＮＵと、第２のタイムスロット割り当てにおいて第２のソースＯＮＵのタイムスロットに隣接するタイムスロットに対応するＯＮＵとを新たな影響領域として決定することをさらに備える。
【００２６】
有利には、決定ユニットが、元の影響領域および新たな影響領域に同一のＯＮＵが存在するか否かを決定することであって、存在する場合、元の影響領域および新たな影響領域内の同一のＯＮＵを不正なＯＮＵ候補として決定する、決定することをさらに備える。
【００２７】
有利には、ＯＮＵ決定ユニットが、不正なＯＮＵ候補を順に閉鎖し、閉鎖されたＯＮＵを除く他のＯＮＵの誤り率を検査することと、他のＯＮＵの全ての誤り率が誤り率閾値より大きくない場合、閉鎖された不正なＯＮＵ候補を不正なＯＮＵとして決定することとを備える。
【００２８】
本出願は、ＰＯＮにおける不正なＯＮＵを決定するための方法および装置に関し、以下の利点を有する。
【００２９】
１．短い決定時間：候補ＯＮＵの数が大幅に削減され、したがって、決定処理を大いに簡略化することができる。
【００３０】
２．通常のＯＮＵに対するサービス中断がない：影響領域が決定されると、ＤＢＡ変更処理が自動的に起動する。この処理は、ＯＬＴと他の通常のＯＮＵとの間の通信を中断することはない。
【００３１】
３．互換性：本出願の解決策は、ＴＤＭ−ＰＯＮシステムだけでなく、ＴＷＤＭ−ＰＯＮ（ＮＧ−ＰＯＮ２）システムにおいても使用することができる。
【００３２】
４．不正なＯＮＵがリセット後に正常に戻った場合でも、全てのデータ分析をオフラインで行うことができる。
【００３３】
５．本出願の解決策は、リセット後に正常に戻った不正なＯＮＵを扱うことができる。
【００３４】
本出願の様々な態様は、以下の実施形態の説明を通じてより明らかとなろう。
【００３５】
本発明の他の特徴、目的および利点は、添付の図面を参照して、本明細書において以下で詳細に説明される好ましい実施形態によって、より良く理解されよう。
【図面の簡単な説明】
【００３６】
【図１】ＰＯＮシステムにおける不正なＯＮＵの行動の典型的なシナリオの概略図である。
【図２】本発明の一実施形態による、ＯＬＴ内の組み込みメモリチップの概略図である。
【図３】本発明の一実施形態による、不正なＯＮＵを決定するための方法のフローチャートである。
【図４】本発明の一実施形態による影響領域の概略図である。
【図５】本発明の一実施形態による、ＤＢＡの変更による不正なＯＮＵの決定の概略図である。
【図６】ＰＯＮにおける不正なＯＮＵを決定するための装置の概略図である。
【発明を実施するための形態】
【００３７】
図面において、同一または類似の参照番号は、同一または類似の構成要素または特徴を示す。
【００３８】
以下の好ましい実施形態の詳細な説明では、添付の図面が本出願の一部として参照される。添付の図面は、例示的な方法によって本出願を実施するための特定の実施形態を示す。例示的な実施形態は、本出願の全ての実施形態を網羅することを意図していない。本出願における対応する方法に関連するステップは、添付の図面において特定の順序で記載されているが、それらの操作が特定の順序に従って実施されなければならないことも、示された全ての操作が、所望の結果を実現するために実施されなければならないことも必要とせず提案もしておらず、対照的に、本出願に記載された順序は変更できることを明確にしておく必要がある。追加的または代替的に、いくつかのステップを省略することができ、複数のステップを１つのステップに結合することができ、および／または１つのステップをいくつかのステップに分解することができる。
【００３９】
本出願で提案される不正なＯＮＵを決定するための解決策は、２つの考察に基づいている：（１）ＯＮＵに障害が発生するか、またはその上りバーストが他のＯＮＵの上りバーストと衝突すると、「パケットロス」がＯＬＴ側で発生することになり、これは上りバーストの「ＢＥＲ」が大幅に増加することを意味する。（２）「パケットロス」がタイムスロットの衝突により生じる場合、影響を受けるＯＮＵの光パワーは、不正なＯＮＵの光パワーと重畳される。その結果、影響を受けるＯＮＵの受信光パワーは、その過去の光パワーに比べて大幅に増加することになる。上記の２つの考察に基づいて、不正なＯＮＵの影響を受けるＯＮＵを識別することができる。
【００４０】
本出願の技術的解決策は、既存の１つ１つ検査する解決策とは異なるものであり、２つの判定条件、すなわち「パケットロス」（または「ＢＥＲ」）と、ＯＬＴにおける受信光パワーとを導入する。受信されたアップリンクパケットの異なるピーク振幅に応じて判定閾値が変化するので、本発明では、判定閾値は各ＯＮＵの過去の受信光パワーから抽出される。図２は、本発明の一実施形態によるＯＬＴ内の組み込みメモリチップの概略図であり、メモリチップは、各ＯＮＵの過去の誤り率および誤り率閾値を記録し、マイクロプロセッサは、過去の誤り率に基づいて誤り率閾値を決定する。同様に、メモリチップは、各ＯＮＵの過去の光パワー値および光パワー閾値を記録する。当業者であれば、たとえば過去の値などに基づく平均化など、光パワー閾値および誤り率閾値を決定するための多数の方法が存在することを理解するはずであり、これらは本出願では列挙されていない。
【００４１】
図３に、ＰＯＮ内のＯＬＴが複数のＯＮＵを制御する、本発明の一実施形態による不正なＯＮＵを決定するための方法のフローチャートを示す。
【００４２】
ステップＳ２１０において、ＯＬＴは、各タイムスロットが１つのＯＮＵのアップリンク信号に対応する第１のタイムスロット割り当てに基づいて元の影響領域を決定する。
【００４３】
まず、ステップＳ２１１において、ＯＬＴは、現在のタイムスロット割り当てに基づいて第１の条件が満たされているか否かを判定し、第１の条件とは、ＯＬＴにより制御されるＯＮＵのアップリンク誤り率が誤り率閾値より大きいことである。
【００４４】
ＯＬＴにより制御されるＯＮＵのアップリンク誤り率が誤り率閾値より大きくない場合、ＯＬＴは続いて、ＯＬＴにより制御される他のＯＮＵのアップリンク誤り率が誤り率閾値より大きいか否かを判定し、ＯＬＴにより制御される全てのＯＮＵのアップリンク誤り率が検査されると、判定のこのラウンドが終了する。
【００４５】
第１の条件が満たされている、すなわち、ＯＬＴにより制御されるＯＮＵのアップリンク誤り率が誤り率閾値より大きい場合、ステップＳ２１２において、ＯＬＴは第２の条件が満たされているか否かを判定し、第２の条件とは、あらゆるＯＮＵのアップリンク信号の光パワー値とそれぞれの過去の光パワー値との差分値が事前定義された光パワー閾値より大きいことである。
【００４６】
第２の条件が満たされていない場合、すなわち、ＯＮＵのアップリンク信号の光パワー値とそれぞれの過去の光パワー値との差分値が事前定義された光パワー閾値より大きくない場合、ＯＬＴは、差分値に対応するＯＮＵを第１のソースＯＮＵとして決定しない。そして、ＯＬＴは続いて、ＯＬＴにより制御される他のＯＮＵのアップリンク誤り率が誤り率閾値より大きいか否かを判定し、ＯＬＴにより制御される全てのＯＮＵのアップリンク誤り率が検査されると、判定のこのラウンドが終了する。
【００４７】
第２の条件が満たされている場合、すなわち、ＯＮＵのアップリンク信号の光パワー値とそれぞれの過去の光パワー値との差分値が事前定義された光パワー閾値より大きい場合、ＯＬＴは、事前定義された光パワー閾値より大きい差分値に対応するＯＮＵを第１のソースＯＮＵとして決定する。
【００４８】
ステップ２１２の後、ＯＬＴは、第１のソースＯＮＵと、第１のタイムスロット割り当てにおいて第１のソースＯＮＵのタイムスロットに隣接するタイムスロットに対応するＯＮＵとを元の影響領域として決定する。
【００４９】
たとえば、図４に示されるように、ＯＮＵ３は第１の条件および第２の条件を同時に満たす。ＯＬＴは、ＯＮＵ３を第１のソースＯＮＵとしてマークする。一方、ＯＬＴは、タイムスロットがＯＮＵ３のタイムスロットに隣接するＯＮＵ２およびＯＮＵ４もマークする。したがって、ＯＮＵ２、ＯＮＵ３およびＯＮＵ４が、元の影響領域を構成する。元の影響領域内のあらゆるＯＮＵは、不正なＯＮＵである潜在リスクがある。
【００５０】
当業者であれば、本出願における「隣接する」が、第１の条件および第２の条件を同時に満たす第１のソースＯＮＵの両側にあるＯＮＵに限定されないことを理解するはずである。すなわち、必要に応じて、元の影響領域を、ＯＮＵ１、ＯＮＵ２、ＯＮＵ３、およびＯＮＵ５として決定することができる。
【００５１】
元の影響領域を決定した後、ステップＳ２２０において、ＯＬＴは、第１のタイムスロット割り当てを変更して第２のタイムスロット割り当てを生成し、あらゆるＯＮＵに第２のタイムスロット割り当てを通知し、ここで第２のタイムスロット割り当ては、第１のタイムスロット割り当てとは異なる。
【００５２】
ステップＳ２３０において、ＯＬＴは、各タイムスロットが１つのＯＮＵのアップリンク信号に対応する第２のタイムスロット割り当てに基づいて、新たな影響領域を決定する。
【００５３】
まず、ステップＳ２３１において、ＯＬＴは、現在のタイムスロット割り当てに基づいて第１の条件が満たされているか否かを判定し、第１の条件とは、ＯＬＴにより制御されるＯＮＵのアップリンク誤り率が誤り率閾値より大きいことである。
【００５４】
ＯＬＴにより制御されるＯＮＵのアップリンク誤り率が誤り率閾値より大きくない場合、ＯＬＴは続いて、ＯＬＴにより制御される他のＯＮＵのアップリンク誤り率が誤り率閾値より大きいか否かを判定し、ＯＬＴにより制御される全てのＯＮＵのアップリンク誤り率が検査されると、判定のこのラウンドが終了する。
【００５５】
第１の条件が満たされている、すなわち、ＯＬＴにより制御されるＯＮＵのアップリンク誤り率が誤り率閾値より大きい場合、ステップＳ２３２において、ＯＬＴは第２の条件が満たされているか否かを判定し、第２の条件とは、あらゆるＯＮＵのアップリンク信号の光パワー値とそれぞれの過去の光パワー値との差分値が事前定義された光パワー閾値より大きいことである。
【００５６】
第２の条件が満たされていない場合、すなわち、アップリンク信号の光パワー値とそれぞれの過去の光パワー値との差分値が事前定義された光パワー閾値より大きくない場合、ＯＬＴは差分値に対応するＯＮＵを第２のソースＯＮＵとして決定しない。そして、ＯＬＴは続いて、ＯＬＴにより制御される他のＯＮＵのアップリンク誤り率が誤り率閾値より大きいか否かを判定し、ＯＬＴにより制御される全てのＯＮＵのアップリンク誤り率が検査されると、判定のこのラウンドが終了する。
【００５７】
第２の条件が満たされている場合、すなわち、アップリンク信号の光パワー値とそれぞれの過去の光パワー値との差が事前定義された光パワー閾値より大きい場合、ＯＬＴは、事前定義された光パワー閾値より大きい差分値に対応するＯＮＵを第２のソースＯＮＵとして決定する。
【００５８】
ステップＳ２１２の後、ＯＬＴは、第２のソースＯＮＵと、第２のタイムスロット割り当てにおいて第２のソースＯＮＵのタイムスロットに隣接するタイムスロットに対応するＯＮＵとを新たな影響領域として決定する。
【００５９】
たとえば、図５に示されるように、第２のタイムスロット割り当てによれば、ＯＮＵ５は第１の条件および第２の条件を同時に満たすので、ＯＬＴはＯＮＵ５を第２のソースＯＮＵとしてマークする。一方、ＯＬＴはまた、タイムスロットがＯＮＵ５のタイムスロットに隣接するＯＮＵ２およびＯＮＵ７を不正なＯＮＵとしてマークする。したがって、ＯＮＵ２、ＯＮＵ５およびＯＮＵ７は、新たな影響領域を構成する。元の影響領域内のあらゆるＯＮＵは、不正なＯＮＵである潜在リスクがある。
【００６０】
ステップＳ２４０において、ＯＬＴは、不正なＯＮＵ候補を決定するために、元の影響領域および新たな影響領域に同一のＯＮＵが存在するか否かを決定する。
【００６１】
元の影響領域および新たな影響領域に同一のＯＮＵが存在する場合、ＯＬＴは、元の影響領域および新たな影響領域内の同一のＯＮＵを不正なＯＮＵ候補として決定する。たとえば、表１に示されるように、ＯＮＵ２は元の影響領域および新たな影響領域の両方に現れ、ＯＮＵ２は不正なＯＮＵ候補として決定される。
【００６２】
表１  不正なＯＮＵの決定
【表１】
0006431184.tif 000002
【００６３】
不正なＯＮＵを決定するための条件として、表１では２の出現数が定義されているが、実際の状況に基づいて、不正なＯＮＵを決定するために、１より大きい他の出現数が除外されないことを当業者であれば理解するはずである。
【００６４】
元の影響領域および新たな影響領域に同一のＯＮＵが存在しない場合、ステップＳ２２０からステップＳ２４０が再び実行され、すなわち、ＯＬＴは、第１のタイムスロット割り当てを再び変更して、第１のタイムスロット割り当ておよび第２のタイムスロット割り当てとは異なるタイムスロット割り当てを生成して、不正なＯＮＵを決定する。
【００６５】
ステップＳ２５０では、不正なＯＮＵが、不正なＯＮＵ候補の中から決定される。ＯＬＴは、不正なＯＮＵ候補を順に閉鎖し、閉鎖されたＯＮＵを除く他のＯＮＵの誤り率を検査し、他のＯＮＵの全ての誤り率が誤り率閾値以下の場合、閉鎖された不正なＯＮＵ候補が不正なＯＮＵとして決定される。
【００６６】
図６は、ＰＯＮにおける不正なＯＮＵを決定するための装置の概略図を示す。装置６００は、図２−５を併用して上記の記載で説明された実施形態におけるＯＬＴとすることができ、またはこれを実装することができる。
【００６７】
図６に示されるように、装置６００は、各タイムスロットが１つのＯＮＵのアップリンク信号に対応する第１のタイムスロット割り当てに基づいて元の影響領域を決定するための元の影響領域決定ユニット６１０と、第１のタイムスロット割り当てを変更して第２のタイムスロット割り当てを生成し、あらゆるＯＮＵに第２のタイムスロット割り当てを通知するための第２のタイムスロット決定ユニット６２０と、各タイムスロットが１つのＯＮＵのアップリンク信号に対応する第２のタイムスロット割り当てに基づいて新たな影響領域を決定するための新たな影響領域決定ユニット６３０と、元の影響領域および新たな影響領域に同一のＯＮＵが存在するか否かを決定して不正なＯＮＵ候補を決定するための決定ユニット６４０と、不正なＯＮＵ候補に基づいて不正なＯＮＵを決定するためのＯＮＵ決定ユニット６５０とを備える。
【００６８】
装置６００は、現在のタイムスロット割り当てに基づいて第１の条件が満たされているか否かを判定するための第１の条件判定ユニットであって、第１の条件が、ＯＬＴにより制御される任意のＯＮＵのアップリンク誤り率が誤り率閾値より大きいか否かである、第１の条件判定ユニットと、第１の条件が満たされている場合に、第２の条件が満たされているか否かを判定するための第２の条件判定ユニットであって、第２の条件が、あらゆるＯＮＵのアップリンク信号の光パワー値とそれぞれの過去の光パワー値との差が事前定義された光パワー閾値より大きいか否かである、第２の条件判定ユニットとをさらに備える。
【００６９】
第２の条件が満たされている場合に、装置６００は、事前定義された光パワー閾値より大きい差分値に対応するＯＮＵを第１のソースＯＮＵとして決定し、第２の条件が満たされていない場合に、装置６００は、差分値に対応するＯＮＵを第１のソースＯＮＵとして決定しない。
【００７０】
元の影響領域決定ユニット６１０は、第１のソースＯＮＵと、第１のタイムスロット割り当てにおいて第１のソースＯＮＵのタイムスロットに隣接するタイムスロットに対応するＯＮＵとを元の影響領域として決定することをさらに備える。
【００７１】
新たな影響領域決定ユニット６３０は、第２の条件が満たされている場合に、事前定義された光パワー閾値より大きい差分値に対応するＯＮＵを第２のソースＯＮＵとして決定することと、第２の条件が満たされていない場合に、差分値に対応するＯＮＵを第２のソースＯＮＵとして決定しないこととをさらに備える。
【００７２】
新たな影響領域決定ユニット６３０は、第２のソースＯＮＵと、第２のタイムスロット割り当てにおいて第２のソースＯＮＵのタイムスロットに隣接するタイムスロットに対応するＯＮＵとを新たな影響領域として決定することをさらに備える。
【００７３】
決定ユニット６４０は、元の影響領域および新たな影響領域に同一のＯＮＵが存在するか否かを決定することであって、存在する場合、元の影響領域および新たな影響領域内の同一のＯＮＵを不正なＯＮＵ候補として決定する、決定することをさらに備える。
【００７４】
ＯＮＵ決定ユニット６５０は、不正なＯＮＵ候補を順に閉鎖し、閉鎖されたＯＮＵを除く他のＯＮＵの誤り率を検査することと、他のＯＮＵの全ての誤り率が誤り率閾値より大きくない場合、閉鎖された不正なＯＮＵ候補を不正なＯＮＵとして決定することとを備える。
【００７５】
当業者に対して、本発明の実施形態が上記で説明されているが、本発明は任意の特定のシステム、デバイスまたは特定のプロトコルに限定されることはなく、当業者であれば、添付の特許請求の範囲から逸脱することなく様々な修正または変形を実施することができる。特許請求の範囲において、「備える」という用語は、他の要素およびステップを排除することはなく、「１つの（ａ）」または「１つの（ａｎ）」という用語は、複数を排除することはない。装置の請求項において、１つの要素が、特許請求の範囲に記載の複数の技術的特徴の機能を実施することができる。本発明では、「第１」、「第２」などは単に名前を指定するものであるが、いかなる順次的な関係を示唆することはない。
【図１】
0006431184.tif 000003
【図２】
0006431184.tif 000004
【図３】
0006431184.tif 000005
【図４】
0006431184.tif 000006
【図５】
0006431184.tif 000007
【図６】
0006431184.tif 000008